(57)【特許請求の範囲】
【請求項１】
複数の太陽電池と、前記太陽電池のうち第１太陽電池に接続される第１導電性ラインと、前記太陽電池のうち第２太陽電池に接続される第２導電性ラインとを備える太陽電池モジュールと、
前記太陽電池モジュールの背面に取り付けられるジャンクションボックスとを含み、
前記ジャンクションボックスは、
前記第１導電性ラインと前記第２導電性ラインとの間に配置されるキャパシタ部を備える電力変換部を含み、
前記電力変換部は、
前記キャパシタ部の両端の直流電源のレベルを変換して出力するコンバータ部と、
前記キャパシタ部に流れる入力電流を検出する入力電流検出部と、
前記キャパシタ部の両端の入力電圧を検出する入力電圧検出部と、
前記入力電流検出部で検出された前記入力電流、または前記入力電圧検出部で検出された前記入力電圧に基づいて、前記複数の太陽電池のうちの一部に陰影が発生したか否かを判断し、前記陰影が発生した場合、前記陰影の発生前に出力していた第１電流よりもレベルが小さい第２電流を出力するように制御し, 前記陰影の発生前に出力していた第１電 圧よりもレベルが大きい第２電圧を出力するように制御し,前記陰影の発生前に前記太陽電池モジュールから出力される第１電力よりも小さい第２電力が前記太陽電池モジュールから出力されるように制御する制御部とを含み、
前記制御部は、
前記太陽電池モジュールで前記陰影が発生する場合、前記陰影が発生した太陽電池モジュールから供給される直流電圧区間に対して、最大電力地点を算出し、算出された複数の最大電力地点のうち最大値を最大電力地点として決定し、前記最大電力地点に対応する前記第２電流を出力するように制御し、
前記制御部は、
前記複数の太陽電池のうちの一部に陰影が発生した場合、前記太陽電池モジュールの温度が上昇し、前記第２電力供給時から、前記太陽電池モジュールの温度が下降するように制御する、太陽光モジュール。
【請求項２】
前記制御部は、
前記陰影が発生した場合、前記太陽電池モジュール内にホットスポットが発生しないように制御する、請求項１に記載の太陽光モジュール。
【請求項３】
前記制御部は、
前記入力電圧検出部で検出された入力電圧の電圧変化率が所定値以上である場合、前記第１電流よりもレベルが低い前記第２電流を出力するように制御する、請求項１に記載の太陽光モジュール。
【請求項４】
前記電力変換部は、
前記レベル変換された直流電源を交流電源に変換して出力するインバータ部をさらに含み、
前記制御部は、前記インバータ部を制御する、請求項１に記載の太陽光モジュール。
【請求項５】
前記制御部は、
前記直流電圧区間での電圧対比電力曲線の変曲点を演算し、前記演算された変曲点を前記最大電力地点として決定する、請求項１に記載の太陽光モジュール。
【請求項６】
前記太陽電池モジュールは、
前記複数の太陽電池の下面と上面にそれぞれ形成される第１密封材及び第２密封材と、
前記第１密封材の下面に形成される後面基板と、
前記第２密封材の上面に形成される前面基板とをさらに含む、請求項１に記載の太陽光モジュール。
【請求項７】
前記太陽電池モジュールは、
前記複数の太陽電池のうちの一部が一列に連結されて形成された太陽電池ストリングの端部に接続されたバスリボンをさらに含み、
前記第１導電性ライン及び前記第２導電性ラインは、前記バスリボンが接続されていない太陽電池ストリングの端部にそれぞれ接続され、前記太陽電池モジュールに形成された開口部を通って前記太陽電池モジュールの背面に延び、前記太陽電池モジュールの背面に配置される前記キャパシタ部の両端に接続される、請求項６に記載の太陽光モジュール。
【請求項８】
複数の太陽電池と、前記太陽電池のうち第１太陽電池に接続される第１導電性ラインと、前記太陽電池のうち第２太陽電池に接続される第２導電性ラインとを備える太陽電池モジュールと、
前記太陽電池モジュールの背面に取り付けられるジャンクションボックスとを含み、
前記ジャンクションボックスは、
前記第１導電性ラインと前記第２導電性ラインとの間に配置されるキャパシタ部と、前記キャパシタ部の両端の直流電源のレベルを変換して出力するコンバータ部と、前記レベル変換された直流電源を交流電源に変換して出力するインバータ部と、前記コンバータ部及び前記インバータ部を制御する制御部とを備える電力変換部を含み、
前記電力変換部は、
前記キャパシタ部に流れる入力電流を検出する入力電流検出部と、
前記キャパシタ部の両端の入力電圧を検出する入力電圧検出部とをさらに含み、
前記制御部は、
前記入力電流検出部で検出された前記入力電流、または前記入力電圧検出部で検出された前記入力電圧に基づいて、前記複数の太陽電池のうちの一部に陰影が発生したか否かを判断し、前記陰影が発生した場合、前記陰影の発生前に出力していた第１電流よりもレベルが小さい第２電流を出力するように制御し, 前記陰影の発生前に出力していた第１電 圧よりもレベルが 大きい第２電圧を出力するように制御し,前記陰影の発生前に前記太陽電池モジュールから出力される第１電力よりも小さい第２電力が前記太陽電池モジュールから出力されるように制御し、
前記制御部は、
前記太陽電池モジュールで前記陰影が発生する場合、前記陰影が発生した太陽電池モジュールから供給される直流電圧区間に対して、最大電力地点を算出し、算出された複数の最大電力地点のうち最大値を最大電力地点として決定し、前記最大電力地点に対応する前記第２電流を出力するように制御し、
前記制御部は、
前記複数の太陽電池のうちの一部に陰影が発生した場合、前記太陽電池モジュールの温度が上昇し、前記第２電力供給時から、前記太陽電池モジュールの温度が下降するように制御する、太陽光モジュール。
【発明の詳細な説明】
【技術分野】
【０００１】
本発明は、太陽光モジュールに関し、より詳細には、陰影の発生時にバイパスダイオードがなくてもホットスポットの発生可能性を低減させることができる太陽光モジュールに関する。
【背景技術】
【０００２】
近年、石油や石炭のような既存エネルギー資源の枯渇が予想されながら、これらに代わる代替エネルギーへの関心が高まっている。その中でも太陽電池は、半導体素子を用いて太陽光エネルギーを電気エネルギーに直接変換させる次世代電池として脚光を浴びている。
【０００３】
一方、太陽光モジュールは、太陽光発電のための太陽電池が直列あるいは並列に接続された状態を意味する。
【発明の概要】
【発明が解決しようとする課題】
【０００４】
本発明の目的は、陰影の発生時にバイパスダイオードがなくてもホットスポットの発生可能性を低減させることができる太陽光モジュールを提供することにある。
【課題を解決するための手段】
【０００５】
上記目的を達成するための本発明の一実施例に係る太陽光モジュールは、複数の太陽電池と、太陽電池のうち第１太陽電池に接続される第１導電性ラインと、太陽電池のうち第２太陽電池に接続される第２導電性ラインとを備える太陽電池モジュール、及び太陽電池モジュールの背面に取り付けられるジャンクションボックスを含み、ジャンクションボックスは、第１導電性ラインと第２導電性ラインとの間に配置されるキャパシタ部を備える電力変換部を含み、電力変換部は、複数の太陽電池のうちの一部に陰影が発生した場合、第１導電性ライン及び第２導電性ラインのうち少なくとも１つに対するバイパス（ｂｙｐａｓｓ）なしに、陰影の発生前に供給していた第１電流よりもレベルが小さい第２電流を供給する。
【０００６】
上記目的を達成するための本発明の他の実施例に係る太陽光モジュールは、複数の太陽電池と、太陽電池のうち第１太陽電池に接続される第１導電性ラインと、太陽電池のうち第２太陽電池に接続される第２導電性ラインとを備える太陽電池モジュール、及び太陽電池モジュールの背面に取り付けられるジャンクションボックスを含み、ジャンクションボックスは、第１導電性ラインと第２導電性ラインとの間に配置されるキャパシタ部と、キャパシタ部の両端の直流電源のレベルを変換して出力するコンバータ部と、コンバータ部を制御する制御部とを備える電力変換部を含み、電力変換部は、複数の太陽電池のうちの一部に陰影が発生した場合、陰影の発生前に供給していた第１電流よりもレベルが小さい第２電流を供給する。
【０００７】
上記目的を達成するための本発明の更に他の実施例に係る太陽光モジュールは、複数の太陽電池と、太陽電池のうち第１太陽電池に接続される第１導電性ラインと、太陽電池のうち第２太陽電池に接続される第２導電性ラインとを備える太陽電池モジュール、及び太陽電池モジュールの背面に取り付けられるジャンクションボックスを含み、ジャンクションボックスは、第１導電性ラインと第２導電性ラインとの間に配置されるキャパシタ部と、キャパシタ部の両端の直流電源のレベルを変換して出力するコンバータ部と、レベル変換された直流電源を交流電源に変換して出力するインバータ部と、コンバータ部及びインバータ部を制御する制御部とを備える電力変換部を含み、電力変換部は、複数の太陽電池のうちの一部に陰影が発生した場合、陰影の発生前に供給していた第１電流よりもレベルが小さい第２電流を供給する。
【発明の効果】
【０００８】
本発明の一実施例に係る太陽光モジュールは、複数の太陽電池と、太陽電池のうち第１太陽電池に接続される第１導電性ラインと、太陽電池のうち第２太陽電池に接続される第２導電性ラインとを備える太陽電池モジュール、及び太陽電池モジュールの背面に取り付けられるジャンクションボックスを含み、ジャンクションボックスは、第１導電性ラインと第２導電性ラインとの間に配置されるキャパシタ部を備える電力変換部を含み、電力変換部は、複数の太陽電池のうちの一部に陰影が発生した場合、第１導電性ライン及び第２導電性ラインのうち少なくとも１つに対するバイパス（ｂｙｐａｓｓ）なしに、陰影の発生前に供給していた第１電流よりもレベルが小さい第２電流を供給することによって、陰影の発生時にバイパスダイオードがなくてもホットスポットの発生可能性を低減させることができる。
【０００９】
一方、太陽光モジュールは、入力電圧検出部で検出された入力電圧の電圧変化率が所定値以上である場合、第１電流よりもレベルが小さい第２電流を供給するように制御することによって、陰影の発生時にバイパスダイオードがなくてもホットスポットの発生可能性を低減させることができる。
【００１０】
一方、太陽光モジュールは、陰影が発生する場合、陰影が発生した太陽電池モジュールから供給される直流電圧区間に対して、最大電力地点を算出し、算出された複数の最大電力地点のうち最大値を最大電力地点として決定し、最大電力地点に対応する第２電流を供給することによって、陰影の発生時に対応する最大電力の出力が可能となる。
【００１１】
一方、太陽光モジュールは、複数の太陽電池のうちの一部が一列に連結されて形成された太陽電池ストリングの端部に接続されたバスリボンを含み、第１導電性ライン及び第２導電性ラインは、バスリボンが接続されていない太陽電池ストリングの端部にそれぞれ接続され、太陽電池モジュールに形成された開口部を通って太陽電池モジュールの背面に延び、太陽電池モジュールの背面に配置されるキャパシタ部の両端に接続されることによって、バイパスダイオードなしに、陰影の発生にも対応可能な太陽光モジュールを具現できるようになる。したがって、製造コストの低減が可能となる。
【００１２】
本発明の他の実施例に係る太陽光モジュールは、複数の太陽電池と、太陽電池のうち第１太陽電池に接続される第１導電性ラインと、太陽電池のうち第２太陽電池に接続される第２導電性ラインとを備える太陽電池モジュール、及び太陽電池モジュールの背面に取り付けられるジャンクションボックスを含み、ジャンクションボックスは、第１導電性ラインと第２導電性ラインとの間に配置されるキャパシタ部と、キャパシタ部の両端の直流電源のレベルを変換して出力するコンバータ部と、コンバータ部を制御する制御部とを備える電力変換部を含み、電力変換部は、複数の太陽電池のうちの一部に陰影が発生した場合、陰影の発生前に供給していた第１電流よりもレベルが小さい第２電流を供給することによって、陰影の発生時にバイパスダイオードがなくてもホットスポットの発生可能性を低減させることができる。
【００１３】
本発明の更に他の実施例に係る太陽光モジュールは、複数の太陽電池と、太陽電池のうち第１太陽電池に接続される第１導電性ラインと、太陽電池のうち第２太陽電池に接続される第２導電性ラインとを備える太陽電池モジュール、及び太陽電池モジュールの背面に取り付けられるジャンクションボックスを含み、ジャンクションボックスは、第１導電性ラインと第２導電性ラインとの間に配置されるキャパシタ部と、キャパシタ部の両端の直流電源のレベルを変換して出力するコンバータ部と、レベル変換された直流電源を交流電源に変換して出力するインバータ部と、コンバータ部及びインバータ部を制御する制御部とを備える電力変換部を含み、電力変換部は、複数の太陽電池のうちの一部に陰影が発生した場合、陰影の発生前に供給していた第１電流よりもレベルが小さい第２電流を供給することによって、陰影の発生時にバイパスダイオードがなくてもホットスポットの発生可能性を低減させることができる。
【図面の簡単な説明】
【００１４】
【図１】従来の太陽光モジュールを示した図である。
【図２】従来の太陽光モジュールを示した図である。
【図３】本発明の実施例に係る太陽光モジュールの正面図である。
【図４】図３の太陽光モジュールの背面図である。
【図５】図３の太陽光モジュール内の電力変換部の一例を示した図である。
【図６】図３の太陽光モジュール内の電力変換部の他の例を示した図である。
【図７】図３の太陽光モジュール内の電力変換部の更に他の例を示した図である。
【図８】図３の太陽電池モジュールの分解斜視図である。
【図９】図３の太陽電池モジュールにおいて陰影がない場合を例示する図である。
【図１０】図３の太陽電池モジュールにおいて陰影が発生した場合を例示する図である。
【図１１】本発明の実施例に係る太陽光モジュールの動作方法を示したフローチャートである。
【図１２Ａ】図１１の制御方法の説明に参照される図である。
【図１２Ｂ】図１１の制御方法の説明に参照される図である。
【図１３Ａ】図１１の制御方法の説明に参照される図である。
【図１３Ｂ】図１１の制御方法の説明に参照される図である。
【図１４】図１１の制御方法の説明に参照される図である。
【発明を実施するための形態】
【００１５】
以下では、図面を参照して本発明をより詳細に説明する。
【００１６】
以下の説明で使用される構成要素に対する接尾辞、「モジュール」及び「部」は、単に本明細書の作成の容易さのみを考慮して付与するもので、それ自体で特に重要な意味又は役割を付与するものではない。したがって、前記「モジュール」及び「部」は互いに混用して使用してもよい。
【００１７】
図１及び図２は、従来の太陽光モジュールを示した図である。
【００１８】
図面を参照すると、図１及び図２の太陽光モジュール７０は、複数の太陽電池を備える太陽電池モジュール３０、４つの太陽電池ストリングにそれぞれ接続する４つの導電性ライン３５ａ〜３５ｄ、４つの導電性ライン３５ａ〜３５ｄの間にそれぞれ接続されるバイパスダイオード素子Ｄａ，Ｄｂ，Ｄｃ、コンバータ５３、及びインバータ５４を備えることができる。
【００１９】
太陽電池モジュール３０内の複数の太陽電池のうちの一部に陰影が発生する場合、バイパスダイオード素子Ｄａ，Ｄｂ，Ｄｃのうち少なくとも一部のターンオンによって、ホットスポット（ｈｏｔ  ｓｐｏｔ）が発生しなくなる。
【００２０】
すなわち、４つの導電性ライン３５ａ〜３５ｄのうち少なくとも一部でバイパス（ｂｙｐａｓｓ）が行われ、一部の導電性ラインからの直流電源が供給されなくなる。
【００２１】
一方、図１及び図２に示したような太陽光モジュール７０の場合、一部の太陽電池に陰影が発生しても、当該ストリングに接続されるバイパスダイオードのターンオンによって、当該ストリングの直流電源を全て供給できなくなるため、発電する電力に比べて、供給される電力が著しく低下する。
【００２２】
また、バイパスダイオードの使用により製造コストなどが追加され、バイパスダイオードの故障による、太陽光モジュール７０を交換しなければならないという煩わしさがある。
【００２３】
これによって、本発明では、バイパスダイオードを備えなくても、陰影の発生時、ホットスポットが発生しないようにする太陽光モジュールに対して提案する。これについては、図３以下を参照して記述する。
【００２４】
図３は、本発明の実施例に係る太陽光モジュールの正面図であり、図４は、図３の太陽光モジュールの背面図である。
【００２５】
図面を参照すると、本発明の実施例に係る太陽光モジュール５０は、太陽電池モジュール１００、及び太陽電池モジュール１００の背面に位置するジャンクションボックス２００を含むことができる。
【００２６】
ジャンクションボックス２００内には、太陽電池モジュール１００から供給される直流電源を変換するための電力変換部（図５の５００ａ、図６の５００ｂ、図７の５００ｃ）を備えることができる。
【００２７】
太陽電池モジュール１００は、複数の太陽電池ＳＬＣ１，．．．ＳＬＣｎと、太陽電池のうち第１太陽電池ＳＬＣ１に接続される第１導電性ライン１３５ａと、太陽電池のうち第２太陽電池ＳＬＣｎに接続される第２導電性ライン１３５ｄとを備えることができる。
【００２８】
複数の太陽電池ＳＬＣ１，．．．ＳＬＣｎは、直列又は直並列の混合で接続されてもよい。図面では、６０個の太陽電池が互いに直列接続される場合を例示する。
【００２９】
一方、互いに直列接続される複数の太陽電池ＳＬＣ１，．．．ＳＬＣｎのうち、１番目の太陽電池ＳＬＣ１には第１導電性ライン１３５ａが接続され、最後の太陽電池ＳＬＣｎには第２導電性ライン１３５ｄが接続されてもよい。
【００３０】
第１導電性ライン１３５ａ及び第２導電性ライン１３５ｄは、太陽電池モジュールの前面から背面へ開口を通って延びることができ、後述する電力変換部（図５の５００ａ、図６の５００ｂ、図７の５００ｃ）内のキャパシタ部５２０の両端に直接接続され得る。
【００３１】
このような構造によれば、第１導電性ライン１３５ａ及び第２導電性ライン１３５ｄと、キャパシタ部５２０との間にバイパスダイオードが備えられず、これによって、製造コストを低減することができる効果がある。
【００３２】
一方、図１及び図２に示したように、バイパスダイオードが備えられる太陽光モジュールの場合、複数の太陽電池のうちの一部に陰影が発生しても、バイパスダイオードのターンオンによって、ホットスポット（ｈｏｔ  ｓｐｏｔ）が発生しなくなる。
【００３３】
一方、本発明のように、太陽光モジュールにバイパスダイオードが備えられていない状態で、複数の太陽電池のうちの一部に陰影が発生する場合、ホットスポット（ｈｏｔ  ｓｐｏｔ）が発生し得る。
【００３４】
このような点を解決するために、本発明では、電力変換部（図５の５００ａ、図６の５００ｂ、図７の５００ｃ）が、複数の太陽電池のうちの一部に陰影が発生した場合、陰影の発生前に供給していた第１電流よりもレベルが小さい第２電流を供給するようにする。
【００３５】
すなわち、電力変換部（図５の５００ａ、図６の５００ｂ、図７の５００ｃ）は、陰影の発生を感知する場合、陰影の発生前に供給していた第１電流よりもレベルが小さい第２電流を供給することによって、陰影領域付近で温度が上昇する現象であるホットスポットの発生可能性を低減させることができるようになる。したがって、安定に太陽光モジュール５０を駆動できるようになる。
【００３６】
このような方式については、図５以下を参照してより詳細に記述する。
【００３７】
一方、図面では、太陽電池モジュール１００の前面に、１０個の太陽電池が一つのストリングとなり、計６個のストリング１４０ａ，１４０ｂ，１４０ｃ，１４０ｄ，１４０ｅ，１４０ｆが形成される場合を例示する。
【００３８】
一方、太陽電池ＳＬＣ１，．．．ＳＬＣｎ全体が互いに直列接続されるようにするために、ストリングとストリングとの間にバスリボンが接続されてもよい。
【００３９】
図面では、太陽電池モジュール１００の下端に、第１ストリング１４０ａと第２ストリング１４０ｂとの間に接続される第１バスリボン１４５ａ、第３ストリング１４０ｃと第４ストリング１４０ｄとの間に接続される第３バスリボン１４５ｃ、及び第５ストリング１４０ｅと第６ストリング１４０ｆとの間に接続される第５バスリボン１４５ｅを例示する。
【００４０】
また、図面では、太陽電池モジュール１００の上端に、第２ストリング１４０ｂと第３ストリング１４０ｃとの間に接続される第２バスリボン１４５ｂ、及び第４ストリング１４０ｄと第５ストリング１４０ｅとの間に接続される第４バスリボン１４５ｃを例示する。
【００４１】
すなわち、第１ストリング〜第６ストリング１４０ａ〜１４０ｆのうち第１ストリング１４０ａの上端部及び第６ストリング１４０ｆの上端部を除いた、各ストリングの上端部及び下端部には、図示のようにバスリボン１４５ａ〜１４５ｆが接続されてもよい。
【００４２】
一方、第１導電性ライン１３５ａ及び第２導電性ライン１３５ｄは、バスリボン１４５ａ〜１４５ｆが接続されていない太陽電池ストリングの端部である、第１ストリング１４０ａの上端部及び第６ストリング１４０ｆの上端部にそれぞれ接続され、太陽電池モジュール１００に形成された開口部を通って太陽電池モジュール１００の背面に延び、太陽電池モジュールの背面に配置されるキャパシタ部５２０の両端に接続されてもよい。
【００４３】
図５は、図３の太陽光モジュール内の電力変換部の一例を示した図である。
【００４４】
図面を参照すると、図５の電力変換部５００ａは、キャパシタ部５２０、コンバータ部５３０、インバータ部５４０を備えることができる。このような電力変換部５００ａをマイクロインバータ（ｍｉｃｒｏ  ｉｎｖｅｒｔｅｒ）と呼ぶこともできる。
【００４５】
一方、図５の電力変換部５００ａは、キャパシタＣ１、入力電流感知部Ａ、入力電圧感知部Ｂ、コンバータ出力電流検出部Ｃ、コンバータ出力電圧検出部Ｄ、インバータ出力電流検出部Ｅ、及びインバータ出力電圧検出部Ｆをさらに備えることができる。
【００４６】
一方、図５の電力変換部５００ａは、バイパスダイオードを備えないことを特徴とする。
【００４７】
一方、図５の電力変換部５００ａにおいてキャパシタ部５２０、入力電流感知部Ａ、及び入力電圧感知部Ｂが、図４のジャンクションボックス２００内に備えられてもよい。
【００４８】
その他に、電力変換部５００ａ内のコンバータ部５３０、インバータ部５４０、コンバータ出力電流検出部Ｃ、コンバータ出力電圧検出部Ｄ、インバータ出力電流検出部Ｅ、インバータ出力電圧検出部Ｆなどは、別途の第２ジャンクションボックス（図示せず）などに備えられてもよい。
【００４９】
これによって、図５に基づいた太陽光モジュール５０は、太陽電池モジュール１００と、キャパシタ部５２０、入力電流感知部Ａ及び入力電圧感知部Ｂのみを備える電力変換部５００ａとを備えることができる。
【００５０】
キャパシタ部５２０は、太陽電池モジュールからの直流電源を格納することができる。
【００５１】
特に、キャパシタ部５２０の両端に、上述したように、第１導電性ライン１３５ａと第２導電性ライン１３５ｄが接続されてもよい。
【００５２】
一方、図面では、キャパシタ部５２０が互いに並列接続される複数のキャパシタＣａ，Ｃｂ，Ｃｃを備える場合を例示するが、これとは異なり、複数のキャパシタが、直並列混合で接続されるか、または直列に接地端に接続されることも可能である。または、キャパシタ部５２０が１つのキャパシタのみを備えることも可能である。
【００５３】
コンバータ部５３０は、キャパシタ部５２０に格納された直流電源を用いて、電力変換を行うことができる。すなわち、コンバータ部５３０は、直流電源のレベルを可変するｄｃ／ｄｃコンバータを備えることができる。
【００５４】
そのために、コンバータ部５３０は、タップインダクタコンバータ、フライバックコンバータ、またはバックブーストコンバータなどを備えることができ、これらの組み合わせによるインターリービングコンバータを備えることもできる。
【００５５】
図面では、コンバータ部５３０がタップインダクタコンバータを備える場合を例示する。
【００５６】
図面に示されているコンバータ部５３０、すなわち、タップインダクタコンバータは、タップインダクタＴ、タップインダクタＴと接地端との間に接続されるスイッチング素子Ｓ１、及びタップインダクタの出力端に接続されて一方向導通を行うダイオードＤ１を含むことができる。
【００５７】
一方、ダイオードＤ１の出力端、すなわち、カソード（ｃａｔｈｏｄ）と接地端との間に、ｄｃ端キャパシタＣ１が接続されてもよい。
【００５８】
具体的に、スイッチング素子Ｓ１は、タップインダクタＴのタップと接地端との間に接続可能である。そして、タップインダクタＴの出力端（２次側）はダイオードＤ１のアノード（ａｎｏｄｅ）に接続され、ダイオードＤ１のカソード（ｃａｔｈｏｄｅ）と接地端との間にｄｃ端キャパシタＣ１が接続されてもよい。
【００５９】
一方、タップインダクタＴの１次側と２次側は反対の極性を有する。一方、タップインダクタＴは、スイッチングトランスフォーマ（ｔｒａｎｓｆｏｒｍｅｒ）と呼ぶこともできる。
【００６０】
一方、コンバータ部５３０内のスイッチング素子Ｓ１は、制御部５５０からのコンバータスイッチング制御信号に基づいて、ターンオン／オフ動作を行うことができる。これによって、レベル変換された直流電源が出力され得る。
【００６１】
インバータ部５４０は、コンバータ部５３０で変換された直流電源を交流電源に変換することができる。
【００６２】
図面では、フルブリッジインバータ（ｆｕｌｌ−ｂｒｉｄｇｅ  ｉｎｖｅｒｔｅｒ）を例示する。すなわち、それぞれ互いに直列接続される上アームスイッチング素子（Ｓａ，Ｓｂ）及び下アームスイッチング素子（Ｓ’ａ，Ｓ’ｂ）が一対となし、計２対の上、下アームスイッチング素子が互いに並列（Ｓａ＆Ｓ’ａ，Ｓｂ＆Ｓ’ｂ）に接続される。各スイッチング素子（Ｓａ，Ｓ’ａ，Ｓｂ，Ｓ’ｂ）にはダイオードが逆並列に接続されてもよい。
【００６３】
インバータ部５４０内のスイッチング素子（Ｓａ，Ｓ’ａ，Ｓｂ，Ｓ’ｂ）は、制御部５５０からのインバータスイッチング制御信号に基づいて、ターンオン／オフ動作を行うことができる。これによって、所定の周波数を有する交流電源が出力され得る。好ましくは、グリッド（ｇｒｉｄ）の交流周波数と同じ周波数（約６０Ｈｚ又は５０Ｈｚ）を有することが好ましい。
【００６４】
一方、キャパシタＣ１は、コンバータ部５３０とインバータ部５４０との間に配置されてもよい。
【００６５】
キャパシタＣ１は、コンバータ部５３０のレベル変換された直流電源を格納することができる。一方、キャパシタＣ１の両端をｄｃ端と呼ぶことができ、これによって、キャパシタＣ１は、ｄｃ端キャパシタと呼ぶこともできる。
【００６６】
一方、入力電流感知部Ａは、太陽電池モジュール１００からキャパシタ部５２０に供給される入力電流ｉｃ１を感知することができる。
【００６７】
一方、入力電圧感知部Ｂは、太陽電池モジュール１００からキャパシタ部５２０に供給される入力電圧Ｖｃ１を感知することができる。ここで、入力電圧Ｖｃ１は、キャパシタ部５２０の両端に格納された電圧と同一であってもよい。
【００６８】
感知された入力電流ｉｃ１及び入力電圧Ｖｃ１は制御部５５０に入力され得る。
【００６９】
一方、コンバータ出力電流検出部Ｃは、コンバータ部５３０から出力される出力電流ｉｃ２、すなわち、ｄｃ端電流を感知し、コンバータ出力電圧検出部Ｄは、コンバータ部５３０から出力される出力電圧ｖｃ２、すなわち、ｄｃ端電圧を感知する。感知された出力電流ｉｃ２及び出力電圧ｖｃ２は制御部５５０に入力され得る。
【００７０】
一方、インバータ出力電流検出部Ｅは、インバータ部５４０から出力される電流ｉｃ３を感知し、インバータ出力電圧検出部Ｆは、インバータ部５４０から出力される電圧ｖｃ３を感知する。検出された電流ｉｃ３及び電圧ｖｃ３は制御部５５０に入力される。
【００７１】
一方、制御部５５０は、コンバータ部５３０のスイッチング素子Ｓ１を制御する制御信号を出力することができる。特に、制御部５５０は、検出された入力電流ｉｃ１、入力電圧Ｖｃ１、出力電流ｉｃ２、出力電圧ｖｃ２、出力電流ｉｃ３、または出力電圧ｖｃ３のうち少なくとも１つに基づいて、コンバータ部５３０内のスイッチング素子Ｓ１のターンオンタイミング信号を出力することができる。
【００７２】
一方、制御部５５０は、インバータ部５４０の各スイッチング素子（Ｓａ，Ｓ’ａ，Ｓｂ，Ｓ’ｂ）を制御するインバータ制御信号を出力することができる。特に、制御部５５０は、検出された入力電流ｉｃ１、入力電圧Ｖｃ１、出力電流ｉｃ２、出力電圧ｖｃ２、出力電流ｉｃ３、または出力電圧ｖｃ３のうち少なくとも１つに基づいて、インバータ部５４０の各スイッチング素子（Ｓａ，Ｓ’ａ，Ｓｂ，Ｓ’ｂ）のターンオンタイミング信号を出力することができる。
【００７３】
一方、制御部５５０は、太陽電池モジュール１００に対する最大電力地点を演算し、それによって、最大電力に該当する直流電源を出力するようにコンバータ部５３０を制御することができる。
【００７４】
一方、本発明の実施例に関連して、制御部５５０は、入力電流検出部Ａで検出された入力電流ｉｃ１、または入力電圧検出部Ｂで検出された入力電圧Ｖｃ１に基づいて、複数の太陽電池のうちの一部に陰影が発生したか否かを判断し、陰影が発生した場合、陰影の発生前に供給していた第１電流Ｉｍｐｐ１よりもレベルが小さい第２電流Ｉｍｐｐ２を供給するように制御することができる。これによって、陰影の発生時にバイパスダイオードがなくてもホットスポットの発生可能性を低減させることができる。
【００７５】
一方、制御部５５０は、陰影が発生した場合、陰影の発生前に太陽電池に流れる第１電流Ｉｍｐｐ１よりもレベルが小さい第２電流Ｉｍｐｐ２が太陽電池または太陽電池モジュール１００に流れるように制御することができる。
【００７６】
一方、制御部５５０は、太陽電池モジュール１００内にホットスポットが発生しないように制御することができる。すなわち、上述したように、制御部５５０は、陰影が発生した場合、陰影の発生前に供給していた第１電流Ｉｍｐｐ１よりもレベルが小さい第２電流Ｉｍｐｐ２を供給するように制御することができる。
【００７７】
一方、制御部５５０は、入力電圧検出部Ｂで検出された入力電圧Ｖｃ１の電圧変化率が所定値以上である場合、陰影が発生したものと判断し、太陽電池モジュール１００内にホットスポットが発生しないように、第１電流Ｉｍｐｐ１よりもレベルが小さい第２電流Ｉｍｐｐ２を供給するように制御することができる。
【００７８】
一方、制御部５５０は、太陽電池モジュール１００で陰影が発生する場合、陰影が発生した太陽電池モジュール１００から供給される直流電圧区間に対して、最大電力地点を算出し、算出された複数の最大電力地点のうち最大値を最大電力地点として決定し、最大電力地点に対応する第２電圧Ｖｍｐｐ２を供給するように制御することができる。
【００７９】
一方、制御部５５０は、陰影が発生する場合、陰影が発生した太陽電池モジュール１００から供給可能な直流電圧区間での電圧対比電力曲線の変曲点を演算し、演算された変曲点を最大電力地点ｍｐｐ２として決定することができる。そして、最大電力地点ｍｐｐ２に対応して、太陽電池モジュール１００で第２電圧Ｖｍｐｐ２を供給するように制御することができる。
【００８０】
図６は、図３の太陽光モジュール内の電力変換部の他の例を示した図である。
【００８１】
図６の電力変換部５００ｂは、図５の電力変換部５００ａとほぼ同様であるが、図５とは異なり、インバータ部５４０、キャパシタＣ１、インバータ出力電流検出部Ｅ、及びインバータ出力電圧検出部Ｆを備えていない点が異なる。
【００８２】
すなわち、図６の電力変換部５００ｂは、キャパシタ部５２０、コンバータ部５３０、入力電流感知部Ａ、入力電圧感知部Ｂ、コンバータ出力電流検出部Ｃ、及びコンバータ出力電圧検出部Ｄを備えることができる。
【００８３】
一方、ジャンクションボックス２００内に電力変換部５００ｂを全て備えることができる。
【００８４】
これによって、図６に基づいた太陽光モジュール５０は、太陽電池モジュール１００と、キャパシタ部５２０、コンバータ部５３０、入力電流感知部Ａ、入力電圧感知部Ｂ、コンバータ出力電流検出部Ｃ及びコンバータ出力電圧検出部Ｄを備える電力変換部５００ｂとを備えることができる。
【００８５】
図７は、図３の太陽光モジュール内の電力変換部の他の例を示した図である。
【００８６】
図７の電力変換部５００ｃは、図６の電力変換部５００ｂとほぼ同様であるが、図６とは異なり、インバータ部５４０、キャパシタＣ１、インバータ出力電流検出部Ｅ、及びインバータ出力電圧検出部Ｆをさらに備えている点が異なる。
【００８７】
すなわち、図７の電力変換部５００ｃは、キャパシタ部５２０、コンバータ部５３０、インバータ部５４０、キャパシタＣ１、入力電流感知部Ａ、入力電圧感知部Ｂ、コンバータ出力電流検出部Ｃ、コンバータ出力電圧検出部Ｄ、インバータ出力電流検出部Ｅ、及びインバータ出力電圧検出部Ｆを備えることができる。
【００８８】
一方、ジャンクションボックス２００内に電力変換部５００ｃを全て備えることができる。
【００８９】
これによって、図７に基づいた太陽光モジュール５０は、太陽電池モジュール１００と、キャパシタ部５２０、コンバータ部５３０、インバータ部５４０、キャパシタＣ１、入力電流感知部Ａ、入力電圧感知部Ｂ、コンバータ出力電流検出部Ｃ、コンバータ出力電圧検出部Ｄ、インバータ出力電流検出部Ｅ及びインバータ出力電圧検出部Ｆを備える電力変換部５００ｃとを備えることができる。
【００９０】
一方、図７に基づいた太陽光モジュール５０は、太陽電池モジュール１００及びジャンクションボックス２００を介して直ちに交流電源を出力できるので、これを一体型太陽光モジュール又は太陽光ＡＣモジュールと呼ぶこともできる。
【００９１】
図８は、図３の太陽電池モジュールの分解斜視図である。
【００９２】
図８を参照すると、図３の太陽電池モジュール１００は、複数の太陽電池１３０を含むことができる。その他に、複数の太陽電池１３０の下面と上面にそれぞれ位置する第１密封材１２０及び第２密封材１５０、第１密封材１２０の下面に位置する後面基板１１０、及び第２密封材１５０の上面に位置する前面基板１６０をさらに含むことができる。
【００９３】
まず、太陽電池１３０は、太陽エネルギーを電気エネルギーに変換する半導体素子であって、シリコン太陽電池（ｓｉｌｉｃｏｎ  ｓｏｌａｒ  ｃｅｌｌ）、化合物半導体太陽電池（ｃｏｍｐｏｕｎｄ  ｓｅｍｉｃｏｎｄｕｃｔｏｒ  ｓｏｌａｒ  ｃｅｌｌ）、積層型太陽電池（ｔａｎｄｅｍ  ｓｏｌａｒ  ｃｅｌｌ）、染料感応型またはＣｄＴｅ、ＣＩＧＳ型太陽電池などであってもよい。
【００９４】
太陽電池１３０は、太陽光が入射する受光面、及び受光面の反対側である裏面を有する。例えば、太陽電池１３０は、第１導電型のシリコン基板と、シリコン基板上に形成され、第１導電型と反対の導電型を有する第２導電型半導体層と、第２導電型半導体層の一部の面を露出させる少なくとも１つ以上の開口部を含み、第２導電型半導体層上に形成される反射防止膜と、少なくとも１つ以上の開口部を介して露出された第２導電型半導体層の一部の面に接触する前面電極と、前記シリコン基板の後面に形成された後面電極とを含むことができる。
【００９５】
各太陽電池１３０は、電気的に直列、並列または直並列に接続されてもよい。具体的に、複数の太陽電池１３０は、リボン１３３によって電気的に接続されてもよい。リボン１３３は、太陽電池１３０の受光面上に形成された前面電極と、隣接する他の太陽電池１３０の裏面上に形成された後面電極とに接合可能である。
【００９６】
図面では、リボン１３３が２列に形成され、このリボン１３３によって、太陽電池１３０が一列に連結されて、太陽電池ストリング１４０が形成される場合を例示する。
【００９７】
これによって、図３で説明したように、６個のストリング１４０ａ，１４０ｂ，１４０ｃ，１４０ｄ，１４０ｅ，１４０ｆが形成され、各ストリングは１０個の太陽電池を備えることができる。
【００９８】
後面基板１１０は、バックシートであって、防水、絶縁及び紫外線遮断機能を果たし、ＴＰＴ（Ｔｅｄｌａｒ／ＰＥＴ／Ｔｅｄｌａｒ）タイプであってもよいが、これに限定するものではない。また、図８では、後面基板１１０が矩形状に図示されているが、太陽電池モジュール１００が設置される環境に応じて、円形、半円形などの様々な形状に製造することができる。
【００９９】
一方、後面基板１１０上には、第１密封材１２０が後面基板１１０と同じ大きさで付着されて形成されてもよく、第１密封材１２０上には、複数の太陽電池１３０が数個の列をなすように互いに隣接して位置することができる。
【０１００】
第２密封材１５０は、太陽電池１３０上に位置し、第１密封材１２０とラミネーション（Ｌａｍｉｎａｔｉｏｎ）によって接合することができる。
【０１０１】
ここで、第１密封材１２０及び第２密封材１５０は、太陽電池の各要素が化学的に結合できるようにする。このような第１密封材１２０及び第２密封材１５０は、エチレン酢酸ビニル樹脂（Ｅｔｈｙｌｅｎｅ  Ｖｉｎｙｌ  Ａｃｅｔａｔｅ；ＥＶＡ）フィルムなどの様々な例が可能である。
【０１０２】
一方、前面基板１６０は、太陽光を透過するように第２密封材１５０上に位置し、外部の衝撃などから太陽電池１３０を保護するために強化ガラスであることが好ましい。また、太陽光の反射を防止し、太陽光の透過率を高めるために、鉄分が少なく含有された低鉄分強化ガラスであることがより好ましい。
【０１０３】
図９は、図３の太陽電池モジュールにおいて陰影がない場合を例示する図である。
【０１０４】
図面を参照して説明すると、６個の太陽電池ストリング１４０ａ，１４０ｂ，１４０ｃ，１４０ｄ，１４０ｅ，１４０ｆのうち第１太陽電池ストリング１４０ａの上端に第１導電性ライン１３５ａが接続され、第６太陽電池ストリング１４０ｆの上端に第２導電性ライン１３５ｄが接続される。
【０１０５】
一方、陰影がない正常な太陽電池で約０．５Ｖの電圧が発生する場合、６０個の太陽電池で約３０Ｖ（＝０．５Ｖ＊６０）の直流電源が生成され得る。このとき、各太陽電池で流れる電流は、約９Ａであり得る。
【０１０６】
図１０は、図３の太陽電池モジュールにおいて陰影が発生した場合を例示する図である。
【０１０７】
図面を参照すると、太陽電池モジュール１００内の６個の太陽電池ストリング１４０ａ，１４０ｂ，１４０ｃ，１４０ｄ，１４０ｅ，１４０ｆのうち第１太陽電池ストリング１４０ａに陰影８００が発生した場合が例示される。
【０１０８】
陰影８００が発生する場合、第１太陽電池ストリング１４０ａ内の各太陽電池は、上述した約０．５Ｖの直流電源を供給できなくなる。例えば、逆電圧（約−１５Ｖ）が発生し得る。
【０１０９】
また、陰影８００が発生する場合、第１太陽電池ストリング１４０ａ内の各太陽電池に流れる電流が約３Ａに低下し、これによって、太陽電池モジュール１００全体において、図９の９Ａの電流が流れることができず、３Ａの電流が流れるようになる。
【０１１０】
そこで、９Ａの電流と３Ａの電流との差である６Ａの電流が、陰影が発生した太陽電池付近に流れるようになり、これによって、ホットスポット（ｈｏｔ  ｓｐｏｔ）が発生し得る。
【０１１１】
一方、本発明のように、バイパスダイオードを備えない太陽光モジュール５０の場合、陰影の発生によるホットスポットの発生可能性がさらに高くなる。
【０１１２】
このような問題を解決するために、本発明の太陽光モジュール５０は、複数の太陽電池のうちの一部に陰影が発生した場合、陰影の発生前に供給していた第１電流Ｉｍｐｐ１よりもレベルが小さい第２電流Ｉｍｐｐ２を供給する。これによって、陰影の発生時にバイパスダイオードがなくても、ホットスポットの発生可能性を低減させることができるようになる。
【０１１３】
これについては、図１１を参照してより詳細に記述する。
【０１１４】
図１１は、本発明の実施例に係る太陽光モジュールの動作方法を示したフローチャートであり、図１２Ａ乃至図１４は、図１１の制御方法の説明に参照される図である。
【０１１５】
まず、図１１を参照すると、太陽光モジュール５０の入力電流感知部Ａ及び入力電圧感知部Ｂは、それぞれ入力電流ｉｃ１と入力電圧Ｖｃ１を検出する（Ｓ９１０）。
【０１１６】
制御部５５０は、入力電流感知部Ａ及び入力電圧感知部Ｂで検出される入力電流ｉｃ１と入力電圧Ｖｃ１を受信することができる。
【０１１７】
次いで、制御部５５０は、入力電圧感知部Ｂで検出される入力電圧Ｖｃ１の電圧変化率が所定値以上であるか否かを判断する（Ｓ９３０）。そして、該当する場合、ホットスポットが発生しないように制御する（Ｓ９４０）。
【０１１８】
制御部５５０は、入力電圧感知部Ｂで検出される入力電圧Ｖｃ１の電圧変化率を周期的にチェックすることができる。
【０１１９】
図１０に示したように陰影８００が発生した場合、太陽電池モジュールから供給される入力直流電源が、約３０Ｖから約２５Ｖに変更され得る。
【０１２０】
そこで、制御部５５０は、電圧変化率が所定値（３Ｖ／ｓｅｃ又は３Ｖ／ｍｉｎ）以上である場合、太陽電池モジュール１００に陰影が発生したものと判断できる。
【０１２１】
これによって、制御部５５０は、陰影によるホットスポットが発生しないように、陰影の発生前に供給していた第１電流Ｉｍｐｐ１よりもレベルが小さい第２電流Ｉｍｐｐ２を供給するように制御することができる。
【０１２２】
図１２Ａは、陰影発生前の太陽電池モジュールから供給される電圧対比電流曲線ＶＩＣ１、及び陰影発生後の太陽電池モジュールから供給される電圧対比電流曲線ＶＩＣ２を例示する。
【０１２３】
一方、図１２Ｂは、陰影発生前の太陽電池モジュールから供給される電圧対比電力曲線ＶＰＣ１、及び陰影発生後の太陽電池モジュールから供給される電圧対比電力曲線ＶＰＣ２を例示する。
【０１２４】
図１２Ａ及び図１２Ｂによれば、制御部５５０は、陰影の発生前に、最大電力検出アルゴリズム（Ｍａｘｉｍｕｍ  Ｐｏｗｅｒ  Ｐｏｉｎｔ  Ｔｒａｃｋｉｎｇ；ＭＰＰＴ）によって、開放電圧（Ｖｏｃ）を最大電圧Ｖ１から減少させながら、各電圧別電力を演算し、演算された電力が最大電力であるか否かを判断する。
【０１２５】
Ｖ１電圧からＶｍｐｐ１電圧までは電力が増加するので、演算された電力を更新して格納する。そして、Ｖｍｐｐ１電圧からＶ２電圧までは電力が減少するので、結局、Ｖｍｐｐ１電圧に該当するＰｍｐｐ１を最大電力として決定するようになる。
【０１２６】
これによって、陰影の発生前に、太陽電池モジュール１００はＶｍｐｐ１電圧とＩｍｐｐ１電流を供給するようになる。ここで、Ｖｍｐｐ１電圧は約３０Ｖであり、Ｉｍｐｐ１電流は約９Ａであり得る。すなわち、陰影の発生前に、太陽電池モジュール１００は約２７０Ｗの電力を供給することができる。
【０１２７】
一方、制御部５５０は、太陽電池モジュールから供給される入力直流電源が、約３０Ｖから約２５Ｖに変更される場合、陰影が発生したものと判断し、陰影の発生を考慮して、最大電力検出アルゴリズムが行われるように制御することができる。
【０１２８】
一方、陰影の発生による最大電力検出アルゴリズムによれば、図１２Ａ及び図１２Ｂに示したように、太陽電池モジュールから供給される電圧対比電流曲線ＶＩＣ２、及び太陽電池モジュールから供給される電圧対比電力曲線ＶＰＣ２に変更されるようになる。
【０１２９】
これによって、制御部５５０は、陰影の発生による最大電力検出アルゴリズム（Ｍａｘｉｍｕｍ  Ｐｏｗｅｒ  Ｐｏｉｎｔ  Ｔｒａｃｋｉｎｇ；ＭＰＰＴ）によって、開放電圧（Ｖｏｃ）を最大電圧Ｖ１から減少させながら、各電圧別電力を演算し、演算された電力が最大電力であるか否かを判断する。
【０１３０】
Ｖ１電圧からＶｍｐｐ２電圧までは電力が増加するので、演算された電力を更新して格納する。そして、Ｖｍｐｐ２電圧からＶ２電圧までは電力が減少するので、結局、Ｖｍｐｐ２電圧に該当するＰｍｐｐ２を最大電力として決定するようになる。
【０１３１】
このとき、Ｖｍｐｐ２電圧は、図示のように、Ｖｍｐｐ１電圧よりもレベルが大きくなる。
【０１３２】
これによって、陰影の発生後に、太陽電池モジュール１００はＶｍｐｐ２電圧とＩｍｐｐ２電流を供給するようになる。ここで、Ｖｍｐｐ２電圧は約３３Ｖであり、Ｉｍｐｐ２電流は約３Ａであり得る。すなわち、陰影の発生後に、太陽電池モジュール１００は約１００Ｗの電力を供給することができる。
【０１３３】
結局、最大電力検出アルゴリズム（Ｍａｘｉｍｕｍ  Ｐｏｗｅｒ  Ｐｏｉｎｔ  Ｔｒａｃｋｉｎｇ；ＭＰＰＴ）によれば、陰影の発生時、太陽電池モジュール１００は、陰影の発生前の第１電圧よりも大きい第２電圧を供給し、陰影の発生前の第１電流よりも小さい第２電流を供給するようになる。
【０１３４】
また、最大電力検出アルゴリズム（Ｍａｘｉｍｕｍ  Ｐｏｗｅｒ  Ｐｏｉｎｔ  Ｔｒａｃｋｉｎｇ；ＭＰＰＴ）によれば、陰影の発生時、太陽電池モジュール１００は、陰影の発生前の第１電力よりも小さい第２電力を供給するようになる。
【０１３５】
このように、陰影が発生した太陽電池モジュール１００から供給される電流が低くなるため、図１０の陰影８００領域において、温度が上昇するホットスポットが発生しなくなる。したがって、陰影の発生にもかかわらず、そして、バイパスダイオードがないにもかかわらず、安定に太陽電池モジュール１００を動作させることができるようになる。
【０１３６】
図１３Ａは、陰影の発生前の太陽光モジュール１００から供給される電力Ｐｍｐｐ１、電圧Ｖｍｐｐ１、及び電流Ｉｍｐｐ１を示し、図１３Ｂは、陰影の発生後の太陽光モジュール１００から供給される電力Ｐｍｐｐ２、電圧Ｖｍｐｐ２、及び電流Ｉｍｐｐ２を示す。
【０１３７】
上述したように、図１３Ｂの電圧Ｐｍｐｐ２のみが図１３Ａの電圧Ｐｍｐｐ１よりもレベルが大きく、その他の図１３Ｂの電力Ｐｍｐｐ２、電流Ｉｍｐｐ２は、図１３Ａの電力Ｐｍｐｐ１、電流Ｉｍｐｐ１よりもレベルが低くなる。
【０１３８】
一方、図１４は、時間対比電力変化曲線、及び時間対比温度変化曲線を例示する。
【０１３９】
図１４の（Ａ）は、時間対比電力変化曲線を例示する。
【０１４０】
図面を参照すると、太陽電池モジュール１００は、Ｔｓｈ時点前まで、Ｐｍｐｐ１の電力を供給し、Ｔｓｈ時点に陰影が発生する場合、ｔｓｈ２時点から、Ｐｍｐｐ２電力を供給することができる。
【０１４１】
図１４の（Ｂ）は、時間対比温度変化曲線を例示する。
【０１４２】
図面を参照すると、太陽電池モジュール１００は、Ｔｓｈ時点前まで、略Ｔｍｐｐの温度を維持し、Ｔｓｈ時点に陰影が発生する場合、温度が増加し始め、ｔｓｈ２時点から、再び温度が下降して、略Ｔｍｐｐ付近の温度を維持できるようになる。
【０１４３】
上述したように、制御部５５０は、陰影の発生前に第１温度を維持し、陰影が発生して、第１温度よりも高い第２温度まで上昇する場合、最大電力検出アルゴリズム（Ｍａｘｉｍｕｍ  Ｐｏｗｅｒ  Ｐｏｉｎｔ  Ｔｒａｃｋｉｎｇ；ＭＰＰＴ）の実行によって、陰影の発生前の第１電流よりも小さい第２電流を供給し、陰影の発生前の第１電圧よりも大きい第２電圧を供給し、結局、陰影の発生前の第１電力よりも小さい第２電力を供給するように制御する。
【０１４４】
結局、制御部５５０は、陰影が発生して、陰影の発生前の第１電流よりも小さい第２電流が供給されるようにするか、または陰影の発生前の第１電力Ｐｍｐｐ１よりも小さい第２電力Ｐｍｐｐ２が供給されるようにすることによって、第２電力Ｐｍｐｐ２の供給時ｔｓｈ２から、太陽電池モジュール１００の温度が下降するように制御することができる。これによって、陰影が発生する場合でも、太陽電池モジュール１００が安定に動作できるようになる。一方、本発明では、太陽電池モジュール１００の温度変化ではなく、入力電圧検出部Ｂに基づいた電圧の変化率によって、陰影が発生したか否かを判断し、制御することによって、温度に比べて迅速な制御が可能となり、また、別途の温度センサなどを除去できるので、製造コストを低減させることができる。
【０１４５】
本発明に係る太陽光モジュールは、上記のように説明された実施例の構成と方法が限定されて適用されるものではなく、上記実施例は、様々な変形が可能なように各実施例の全部又は一部が選択的に組み合わされて構成されてもよい。
【０１４６】
また、以上では本発明の好ましい実施例について図示し、説明したが、本発明は、上述した特定の実施例に限定されず、特許請求の範囲で請求する本発明の要旨から逸脱することなく、当該発明の属する技術分野における通常の知識を有する者によって様々な変形実施が可能なことは言うまでもなく、このような変形実施は、本発明の技術的思想や見込みから個別的に理解されてはならない。
【図１】
0006612281.tif 000002
【図２】
0006612281.tif 000003
【図３】
0006612281.tif 000004
【図４】
0006612281.tif 000005
【図５】
0006612281.tif 000006
【図６】
0006612281.tif 000007
【図７】
0006612281.tif 000008
【図８】
0006612281.tif 000009
【図９】
0006612281.tif 000010
【図１０】
0006612281.tif 000011
【図１１】
0006612281.tif 000012
【図１２Ａ】
0006612281.tif 000013
【図１２Ｂ】
0006612281.tif 000014
【図１３Ａ】
0006612281.tif 000015
【図１３Ｂ】
0006612281.tif 000016
【図１４】
0006612281.tif 000017